(57)【要約】      （修正有）【課題】浴室のスペースを有効に活用できるとともに、バリアフリーとしても有用な、さらには、水配管や湯配管に直接接続できる使用勝手のよい手すり型シャワ装置を提供する。【解決手段】上下方向に配置される中空の手すり体２、と水配管Ｌからの水および湯配管Ｈからの湯を混合するよう手すり体２に設けられた混合手段と、この混合手段よりも下流側に設けられたシャワホース４およびシャワヘッドよりなるハンドシャワならびに上シャワ７と、混合手段によって混合された湯水を、ハンドシャワに供給する状態または上シャワ７に供給する状態に切替える切替手段８とを備えている。【選択図】図１
2010075722.tif 000002
【特許請求の範囲】
【請求項１】
上下方向に配置される中空の手すり体と、水配管からの水および湯配管からの湯を混合するよう前記手すり体に設けられた混合手段と、この混合手段よりも下流側に設けられたシャワホースおよびシャワヘッドよりなるハンドシャワならびに上シャワと、前記混合手段によって混合された湯水を、前記ハンドシャワに供給する状態または前記上シャワに供給する状態に切替える切替手段とを備えたことを特徴とする手すり型シャワ装置。
【請求項２】
前記手すり体は、前記水配管および湯配管にそれぞれ連通する水導入口および湯導入口を有する外管と、この外管の内部に上流端が前記混合手段と接続するよう設けられた内管と、前記外管と同一の外径を有し、前記上シャワに下流端が接続されるとともに、前記内管に連通するよう上流端が前記外管に接続され、前記内管とで湯水供給流路を形成する接続管とより構成され、さらに、前記接続管の途中には前記切替手段が設けられ、前記外管と内管との間には、切替手段側から混合手段側に水を導入し、それによって、前記湯水供給流路から前記外管に熱が伝わるのを防止する環状の水導入路が形成されている請求項１に記載の手すり型シャワ装置。
【請求項３】
浴室の洗い場の壁面、あるいは、シャワルームの壁面に取り付けられる請求項１または請求項２に記載の手すり型シャワ装置。
【発明の詳細な説明】
【技術分野】
【０００１】
この発明は、浴室やシャワルームなどに設置される手すり型シャワ装置に関する。
【背景技術】
【０００２】
本出願人は、下記特許文献１に示すように、切換ハンドルを操作してシャワホースおよびシャワヘッドよりなるハンドシャワから湯水を吐出させ、それによって通常のシャワ導出状態とする一方、切換ハンドルを操作して複数の吐出部から湯水を吐出させ、それによってボディシャワ状態にできる多機能対応型シャワを提案している。
【先行技術文献】
【特許文献】
【０００３】
【特許文献１】特開２００３−３３９５６３号公報
【発明の概要】
【発明が解決しようとする課題】
【０００４】
しかしながら、この多機能対応型シャワを水配管や湯配管に直接接続するのではなく、既存の水栓本体の湯水導出口に接続する構造になっていた。
【０００５】
また、浴室内での動作を補助する目的で浴槽側のみならず洗い場側の壁にも手すりが設置されているものがあるけれども、ただでさえ狭い浴室の洗い場が手すりに邪魔されて狭くなる上に手すりに体が当たることがあった。
【０００６】
この発明は、浴室のスペースを有効に活用できるとともに、バリアフリーとしても有用な、さらには、水配管や湯配管に直接接続できる使用勝手のよい手すり型シャワ装置を提供することを目的とする。
【課題を解決するための手段】
【０００７】
上記目的を達成するために、本願の請求項１に係る発明では、上下方向に配置される中空の手すり体と、水配管からの水および湯配管からの湯を混合するよう前記手すり体に設けられた混合手段と、この混合手段よりも下流側に設けられたシャワホースおよびシャワヘッドよりなるハンドシャワならびに上シャワと、前記混合手段によって混合された湯水を、前記ハンドシャワに供給する状態または前記上シャワに供給する状態に切替える切替手段とを備えたことを特徴とする手すり型シャワ装置を提供する。
【０００８】
この発明では、前記手すり体を、前記水配管および湯配管にそれぞれ連通する水導入口および湯導入口を有する外管と、この外管の内部に上流端が前記混合手段と接続するよう設けられた内管と、前記外管と同一の外径を有し、前記上シャワに下流端が接続されるとともに、前記内管に連通するよう上流端が前記外管に接続され、前記内管とで湯水供給流路を形成する接続管とより構成するのが好ましい。
また、この発明では、前記接続管の途中に前記切替手段を設けるのが好ましい。さらに、この発明では、切替手段側から混合手段側に水を導入し、それによって、前記湯水供給流路から前記外管に熱が伝わるのを防止する環状の水導入路を、前記外管と内管との間に形成するのが好ましい。
【発明の効果】
【０００９】
この発明では、上下方向に配置される中空の手すり体に、水配管からの水および湯配管からの湯を混合する混合手段を設け、前記混合手段によって混合された湯水を、前記ハンドシャワに供給する状態または前記上シャワに供給する状態に切替える切替手段を設けている。すなわち、シャワ機能と手すり機能を兼用させたので、手すり型シャワ装置が壁面に設置されている例えば浴室、シャワールーム内をより広く使用することができる。
【００１０】
つまり、前記壁面に別途手すりを設けなくても例えば浴室の洗い場におけるハンドシャワと上シャワの切替え動作や、洗い場に座ったり、洗い場から立ち上がったりするときの動作などを前記手すり体によって補助でき、浴室スペースを有効に活用できるとともに、手すりに体が当たるといった事態も回避できバリアフリーとして有効である。
【図面の簡単な説明】
【００１１】
【図１】この発明の一実施例における使用状態を示す図である。
【図２】上記実施例における要部構成説明図である。
【図３】上記実施例における使用状態を示す斜視図である。
【図４】上記実施例で用いた合成樹脂製カバーを示す斜視図である。
【発明を実施するための形態】
【００１２】
以下、この発明の実施例を、図を参照しながら説明する。なお、それによってこの発明は限定されるものではない。
【００１３】
図１〜図４は、この発明の一実施例を示す。図１〜図４において、手すり型シャワ装置１は、例えば浴室の洗い場１ａの壁面Ｗに設置されており、上下方向に配置される中空の手すり体２と、水配管Ｌからの水および湯配管Ｈからの湯を混合するよう前記手すり体２に設けられた混合手段３と、この混合手段３よりも下流側に設けられたシャワホース４およびシャワヘッド５よりなるハンドシャワ６ならびに上シャワ７と、前記混合手段３によって混合された湯水を、前記ハンドシャワ６に供給する状態または前記上シャワ７に供給する状態に切替える切替手段８とを備えている。５ａはシャワ掛具で壁面Ｗ所定の高さ位置に設けられている。
【００１４】
前記手すり体２は、前記水配管Ｌおよび湯配管Ｈにそれぞれ継手９ａおよび１０ａを介して連通する水導入口９および湯導入口１０を有する外管１１と、この外管１１の内部に上流端１２ａが前記混合手段３と接続するよう設けられた内管１２と、前記外管１１と同一の外径を有し、前記上シャワ７に下流端部１４ｂが接続されるとともに、前記内管１２の下流端１２ｂに継手１３を介して連通するよう上流端部１４ａが前記外管１１の下流端部１１ｂに接続された接続管１４とより構成されている。そして、外管１１と接続管１４は、浴室に設置される手すりとして使用可能な大きさに設定されている。
そして、接続管１４と内管１２とで切替手段８に向かう湯水供給流路ｉが形成される。また、前記切替手段８は接続管１４の途中に設けられている。
また、前記外管１１と内管１２との間には、切替手段側から混合手段側に水を導入し、それによって、前記湯水供給流路ｉから前記外管１１に熱が伝わるのを防止する環状の水導入路ｊが形成されている。
そして、接続管１４、外管１１、内管１２は市販品のパイプを用いている。この実施例では、
（１）接続管１４、外管１１、内管１２として、市販の縦断面円形のパイプを用いている。そして、接続管１４、外管１１を手すりとしてより効果的に機能させるために、これらの外表面を覆うようスベリ止め部材を設けるのが好ましい。このスベリ止め部材としては、柔軟性を持たせるために、シリコン系のゴム材や軟質塩化ビニール等の樹脂よりなる半硬質部材を挙げることができる。これにより、スベリ止め部材で覆われた接続管１４、外管１１はしっかり握れるよう構成され得る。また、前記樹脂に抗菌剤を添加することにより、雑菌の繁殖を防ぐことができる。
（２）なお、接続管１４、外管１１、内管１２として、市販の縦断面角形のパイプを用いてもよい。
【００１５】
前記混合手段３は、ハンドシャワ６または上シャワ７から吐出させる湯水の温度を設定するための温度設定手段（例えば、温度設定ハンドル）１６と、この温度設定手段１６により設定した温度に対応した湯水の混合を行わせるための自動温度調節機能を有する温度調整ユニット１７とを主として備えている。そして、温度設定手段１６と温度調整ユニット１７も市販品のものを用いている。温度調整ユニット１７は、弁体／サーモエレメント収納用ケース１８と、温度設定手段１６による栓棒Ｒの回動運動を水平運動に変換してこの水平運動をサーモエレメント側に伝達する伝達機構を収納するケース１５とを有する。前記温度設定手段１６は、前記栓棒Ｒを介して前記伝達機構に連結されている。
【００１６】
そして、前記弁体／サーモエレメント収納用ケース１８は、前記外管１１の上流端部１１ａに形成された開口Ａから外管１１内に嵌込まれている。温度調整ユニット１７の前記ケース１８内には、水配管Ｌからの水および湯配管Ｈからの湯を混合するための混合室Ｍが形成され、この混合室Ｍ内において混合された湯水の温度に影響を受けて膨張・収縮するサーモワックス１９が収納されており、また、このワックス１９の膨張・収縮に伴って伸縮するサーモエレメント２０が収納されており、さらに、このサーモエレメント２０の伸縮に伴って移動し、移動することによって、前記混合室Ｍの異なる箇所に設けられた水配管Ｌに連通する連通口２１および湯配管Ｈに連通する連通口２２を閉塞する割合が変化する弁体２３が収納されている。そして、前記弁体２３による２つの連通口２１，２２を閉塞する割合の変化に伴って、前記混合室Ｍへの水配管Ｌおよび湯配管Ｈからの湯水の導入流量の比率が変化し、これにより、混合室Ｍ内において混合される湯水の温度が変化するように構成してある。
【００１７】
上記の構成からなる温度調整ユニット１７では、前記混合室Ｍ内において混合された湯水の温度が、前記温度設定手段１６により設定した温度に対応する温度となっていない場合には、前記混合室Ｍ内における湯水の温度の影響を受けて前記ワックスが膨張・収縮し、サーモエレメント２０が伸縮し、さらには前記弁体２３が移動するのであり、この移動に伴って、水配管Ｌからの水および湯配管Ｈからの湯の前記混合室Ｍ内への導入流量の比率が変化し、混合室Ｍ内で混合される湯水の温度が前記温度設定手段１６により設定された温度に対応する温度に近づき、最終的に一致することとなる。そして、この設定温度の湯水が湯水供給流路ｉを流れる。この実施例では混合室Ｍに設けた前記連通口２２の位置がサーモワックス１９が収納される領域の最上流端に一致するようサーモエレメント２０を設置している。したがって、温度調整ユニット１７の自動温度調節動作を迅速に行える利点を有する。
【００１８】
前記上シャワ７は、複数のシャワ散水口７を有するシャワ板７ａと、シャワ散水口７と湯水供給流路ｉを連通する上シャワ取り付け用の中空のバー７ｂよりなる。バー７ｂの上流端部は接続管１４の下流端部１４ｂに接続されている。バー７ｂの外径は接続管１４の外径よりも小さく、バー７ｂおよびシャワ板７ａは市販品のものを用いている。
【００１９】
前記切替手段８は、切替ハンドル３０と、切替ハンドル３０の切替操作に連動して、湯水供給流路ｉの湯水を、前記シャワホース４に流す状態または前記バー７ｂに流す状態に切替え可能な切替部とから構成されている。
【００２０】
また、前記継手９ａおよび１０ａは、特開２００３−３３６３００号公報に記載された偏心管と同一構造をしており、市販品である。
例えば給水側の前記継手９ａは、一端に外管１１との接続部３３を有し、他端に水配管Ｌとの接続部３４を有し、両接続部３３，３４の中心が数ｍｍ程度ずれるように配置されてなる継手本体３５を備えている。３６は継手本体３５に対して摺動自在に被覆する合成樹脂からなるカバーで、２つの半割り体３７，３８に分離可能であると共に、継手本体３５の外側面３５ａに沿う形状のガイド溝３８ａを一方の半割り体３８が有する。３９は継手本体３５の側面に設けた一つの流量調整栓で、これをドライバーでまわすことにより流量を調整したり、水配管Ｌからの水を止めることができる。そして、他方の半割り体３７は、流量調整栓３９を外部に露出させるための開口４０を有する。
一方、給湯側の前記継手１０ａは前記継手９ａと同一構造のもので、前記継手１０ａも継手本体４１に対して摺動自在に被覆する合成樹脂からなるカバー４２を有する。このカバー４２もカバー３６と同一構造で２つの半割り体４２ａ，４２ｂに分離可能である。そして、このカバー４２により、使用者のやけどに対する安全性を高めることができる。
また、カバー３６で継手９ａの略全体を被覆することから、多少見栄が悪いバフ工程抜きの継手本体３５を使用でき、バフ仕上げを施した継手本体において多々あるように、バフ仕上げが原因で不良製品を量産して歩留りが発生するような事態を回避できる。継手１０ａの継手本体の場合も同様である。
また、図示はしないが、カバー３６を構成する半割り体３７，３８およびカバー４２を構成する二つの半割り体４２ａ，４２ｂは、水抜き穴を有する。そのため、シャワー使用時等には、カバー３６，４２内に溜まった湯水を水抜き穴でカバー３６，４２の外に常時排出でき、長寿命性を保持できるとともに、衛生面でも有効である。  
【００２１】
４３，４４はバー７ｂに設けた手すり型シャワ装置取り付け部材で、この部材４３，４４を介して手すり型シャワ装置１が洗い場の壁面Ｗに設置される。
【００２２】
而して、シャワ装置１の接続管１４、外管１１を所定高さの位置に設け、これらを手すりに兼用させたので、浴室の洗い場１ａ内での動作を補助できる。
【００２３】
また、浴室の洗い場１ａの壁Ｗに新たに手すりを設ける必要がなくなり、浴室のスペースを有効に活用できるとともに、手すりに体が当たるといった事態も回避できバリアフリーとしても有効である。
【００２４】
また、手すりとなる接続管１４、外管１１として既存のものを用い、また、バー７ｂおよびシャワ板７ａならびに継手９ａ，１０ａも既存のものを用いたので、別途新たに成形する必要がなくコストを削減できる。
【符号の説明】
【００２５】
１        手すり型シャワ装置
２        中空の手すり体
３        混合手段
４        シャワホース
５        シャワヘッド
６        ハンドシャワ
７        上シャワ
８        切替手段
Ｗ        壁面
Ｌ        水配管
Ｈ        湯配管
【図１】
2010075722.tif 000003
【図２】
2010075722.tif 000004
【図３】
2010075722.tif 000005
【図４】
2010075722.tif 000006